(57)【要約】【課題】３次元表示時に容易に２次元表示する領域を指示できるようにする。【解決手段】３次元表示装置１に、３次元表示および２次元表示が可能な表示部２、およびタッチパネル方式の入力部３を設ける。表示部２への画像の表示時において、表示制御部５が画面を複数の領域に分割する分割線を表示する。操作者が所望とする領域に触れると、表示制御部５は表示部２の表示面におけるその領域の表示次元を変更する。例えば、操作者が触れた領域が３次元表示されていれば２次元表示に変更する。【選択図】図１
2010108203.tif 000002
【特許請求の範囲】
【請求項１】
画像の２次元表示および３次元表示が可能な表示手段と、
前記表示手段の表示面上において、接触された位置を検出するタッチパネル方式の位置検出手段と、
前記画像とともに前記表示面を複数の領域に分割する分割線を前記表示手段に表示し、前記複数の領域のうち前記位置検出手段が検出した位置に対応する少なくとも１つの領域の表示次元を変更する表示制御手段とを備えたことを特徴とする３次元表示装置。
【請求項２】
前記表示制御手段は、前記複数の領域のうち２以上の領域に対応する位置が同時に検出された場合、接触範囲が大きい１つの領域のみ表示次元を変更する手段であることを特徴とする請求項１記載の３次元表示装置。
【請求項３】
前記表示制御手段は、前記複数の領域のうち２以上の領域に対応する位置が同時に検出された場合、すべての領域の表示次元の変更を禁止する手段であることを特徴とする請求項１記載の３次元表示装置。
【請求項４】
前記表示制御手段は、前記複数の領域のうち２以上の領域に対応する位置が検出された場合、すべての領域の表示次元を変更する手段であることを特徴とする請求項１記載の３次元表示装置。
【請求項５】
前記表示制御手段は、前記表示次元が変更された領域に対応する位置が再度検出されると、該領域の表示次元を元に戻す手段であることを特徴とする請求項１から４のいずれか１項記載の３次元表示装置。
【請求項６】
前記表示制御手段は、前記位置検出手段が最後の検出を行ってから所定時間経過後に、前記分割線の表示を停止する手段であることを特徴とする請求項１から５のいずれか１項記載の３次元表示装置。
【請求項７】
前記表示制御手段は、前記分割線の表示の停止後、前記位置検出手段が前記表示面への接触を検出すると、前記分割線を表示する手段であることを特徴とする請求項６記載の３次元表示装置。
【請求項８】
前記表示制御手段は、表示次元が変更され、かつ前記位置検出手段が最後の検出を行ってから所定時間経過後に、すべての前記領域の表示次元を、前記複数の領域のうち所定数以上の領域の表示次元に変更する手段であることを特徴とする請求項１から７のいずれか１項記載の３次元表示装置。
【請求項９】
前記表示制御手段は、前記表示次元の変更前に警告を行う手段であることを特徴とする請求項８記載の３次元表示装置。
【請求項１０】
前記表示制御手段は、表示次元が変更され、かつ前記位置検出手段が最後の検出を行ってから所定時間経過後に、前記複数の領域のうちの所定数以上の領域がいずれかの表示次元に切り替えられている場合において、前記複数の領域の表示次元を前記所定数以上の領域の表示次元に変更するか否かの問い合わせ画面を前記表示手段に表示し、前記表示次元を変更する指示が検出された場合にのみ、すべての領域の表示次元を前記所定数以上の領域の表示次元に変更する手段であることを特徴とする請求項１から７のいずれか１項記載の３次元表示装置。
【請求項１１】
前記表示制御手段は、前記表示次元が変更され、かつ前記位置検出手段が最後の検出を行ってから所定時間経過後に、前記複数の領域の表示次元を前記２次元表示および前記３次元表示のいずれに変更するかの問い合わせ画面を前記表示手段に表示し、前記複数の画像の表示次元を指示された表示次元に変更する手段であることを特徴とする請求項１から７のいずれか１項記載の３次元表示装置。
【請求項１２】
画像の２次元表示および３次元表示が可能な表示手段と、
前記表示手段の表示面上において、接触された位置を検出するタッチパネル方式の位置検出手段とを備えた３次元表示装置における３次元表示方法であって、
前記画像とともに前記表示面を複数の領域に分割する分割線を前記表示手段に表示し、
前記複数の領域のうち前記位置検出手段が検出した位置に対応する少なくとも１つの領域の表示次元を変更することを特徴とする３次元表示方法。
【請求項１３】
画像の２次元表示および３次元表示が可能な表示手段と、
前記表示手段の表示面上において、接触された位置を検出するタッチパネル方式の位置検出手段とを備えた３次元表示装置における３次元表示方法をコンピュータに実行させるためのプログラムであって、
前記画像とともに前記表示面を複数の領域に分割する分割線を前記表示手段に表示する手順と、
前記複数の領域のうち前記位置検出手段が検出した位置に対応する少なくとも１つの領域の表示次元を変更する手順とをコンピュータに実行させることを特徴とするプログラム。
【発明の詳細な説明】
【技術分野】
【０００１】
本発明は、タッチパネル方式の入力が可能な３次元表示装置および方法並びに３次元表示方法をコンピュータに実行させるためのプログラムに関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより複数の画像を取得し、複数の画像に含まれる被写体の視差を利用して複数の画像を３次元表示することにより行うことができる。
【０００３】
具体的には、裸眼平衡法により立体視を実現する方式の場合、複数の画像を並べて配置して３次元表示を行うことができる。また、複数の画像の色を例えば赤と青のように異ならせて重ね合わせたり、複数の画像の偏光方向を異ならせて重ね合わせることにより、複数の画像を合成して３次元表示を行うことができる。この場合赤青メガネや偏光メガネ等の画像分離メガネを用いて、３次元表示された画像を目の自動焦点機能により融合視することにより、立体視を行うことができる（アナグリフ方式、偏光フィルタ方式）。
【０００４】
また、画像分離メガネを使用しなくても、バリア方式およびレンチキュラー方式のように、複数の画像を立体視可能な３次元表示モニタに表示して立体視することも可能である。この場合、複数の画像を垂直方向に短冊状に切り取って交互に配置することにより、３次元表示が行われる。また、画像分離メガネを使用したり、光学素子を液晶に貼ることで左右の画像の光線方向を変えながら、左右の画像を交互に表示することにより、３次元表示を行う方式も提案されている（スキャンバックライト方式）。
【０００５】
ところで、このような３次元表示を行う３次元表示装置において、部分的に２次元表示と３次元表示とを切り替え可能にする手法が提案されている（特許文献１〜３参照）。
【特許文献１】特開平９−３０４７３９号公報
【特許文献２】特開平５−２８４５４２号公報
【特許文献３】特開平７−７７７４８号公報
【発明の開示】
【発明が解決しようとする課題】
【０００６】
しかしながら、特許文献１〜３に記載された手法においては、３次元表示中において２次元表示するための領域をどのようにして指定するかが明確ではなく、操作者が２次元表示を所望する領域を指定することが困難である。
【０００７】
本発明は上記事情に鑑みなされたものであり、３次元表示時に容易に２次元表示する領域を指定できるようにすることを目的とする。
【課題を解決するための手段】
【０００８】
本発明による３次元表示装置は、画像の２次元表示および３次元表示が可能な表示手段と、
前記表示手段の表示面上において、接触された位置を検出するタッチパネル方式の位置検出手段と、
前記画像とともに前記表示面を複数の領域に分割する分割線を前記表示手段に表示し、前記複数の領域のうち前記位置検出手段が検出した位置に対応する少なくとも１つの領域の表示次元を変更する表示制御手段とを備えたことを特徴とするものである。
【０００９】
「タッチパネル方式」とは、操作者が指で触れることにより接触した位置を検出するもののみならず、タッチペン等により接触された位置を検出するものをも含む。
【００１０】
これにより、表示手段には、画像とともに表示面を複数の領域に分割する分割線が表示され、操作者が所望とする領域に触れると、複数の領域のうち位置検出手段が検出した位置に対応する少なくとも１つの領域の表示次元が変更される。このため、操作者は表示された画像を見ながら所望とする領域の表示次元を容易に変更することができる。
【００１１】
とくに、３次元表示を行っている場合、画像がずれて見えるような場合があるが、それを見たのみでは、画像のずれが３次元表示によるものであるのか、撮影時の手ブレによるものであるのかが分からない。このような場合、本発明によれば、操作者は確認したい領域に触れてその領域を２次元表示することにより、画像のずれが３次元表示によるものであるのか、手ブレによるものであるのかを容易に確認することができる。
【００１２】
なお、本発明による３次元表示装置においては、前記表示制御手段を、前記複数の領域のうち２以上の領域に対応する位置が同時に検出された場合、接触範囲が大きい１つの領域のみ表示次元を変更する手段としてもよい。
【００１３】
これにより、操作者が意図しない複数の領域の表示次元の変更を防止できる。
【００１４】
また、本発明による３次元表示装置においては、前記表示制御手段を、前記複数の領域のうち２以上の領域に対応する位置が同時に検出された場合、すべての領域の表示次元の変更を禁止する手段としてもよい。
【００１５】
これにより、操作者が意図しない領域の表示次元の変更を防止することができる。
【００１６】
また、本発明による３次元表示装置においては、前記表示制御手段を、前記複数の領域のうち２以上の領域に対応する位置が検出された場合、すべての領域の表示次元を変更する手段としてもよい。
【００１７】
これにより、操作者が指定したすべての領域の表示次元を変更することができる。
【００１８】
ここで、「２以上の領域が検出された場合」とは、２以上の領域が同時に検出された場合のみならず、順次検出された場合も含む。
【００１９】
また、本発明による３次元表示装置においては、前記表示制御手段を、前記表示次元が変更された領域に対応する位置が再度検出されると、該領域の表示次元を元に戻す手段としてもよい。
【００２０】
これにより、操作者が指定した領域の表示次元を交互に変更することができる。
【００２１】
また、本発明による３次元表示装置においては、前記表示制御手段を、前記位置検出手段が最後の検出を行ってから所定時間経過後に、前記分割線の表示を停止する手段としてもよい。
【００２２】
これにより、表示された画像が分割線により視認しにくくなることを防止できる。
【００２３】
また、本発明による３次元表示装置においては、前記表示制御手段を、前記分割線の表示の停止後、前記位置検出手段が前記表示面への接触を検出すると、前記分割線を表示する手段としてもよい。
【００２４】
これにより、操作者が所望とするように分割線を表示することができる。
【００２５】
この場合、前記表示制御手段を、表示次元が変更され、かつ前記位置検出手段が最後の検出を行ってから所定時間経過後に、すべての前記領域の表示次元を、前記複数の領域のうち所定数以上の領域の表示次元に変更する手段としてもよい。
【００２６】
これにより、表示面の一部の領域の表示次元が異なる場合の視認性の欠如および不快感を防止できる。
【００２７】
また、本発明による３次元表示装置においては、前記表示制御手段を、前記表示次元の変更前に警告を行う手段としてもよい。
【００２８】
これにより、操作者に表示次元が切り替わることを事前に知らせることができる。
【００２９】
また、本発明による３次元表示装置においては、前記表示制御手段を、表示次元が変更され、かつ前記位置検出手段が最後の検出を行ってから所定時間経過後に、前記複数の領域のうちの所定数以上の領域がいずれかの表示次元に切り替えられている場合において、前記複数の領域の表示次元を前記所定数以上の領域の表示次元に変更するか否かの問い合わせ画面を前記表示手段に表示し、前記表示次元を変更する指示が検出された場合にのみ、すべての領域の表示次元を前記所定数以上の領域の表示次元に変更する手段としてもよい。
【００３０】
これにより、操作者が意図したとおりに、表示面の一部の領域の表示次元が異なる場合の視認性の欠如および不快感を防止できる。
【００３１】
また、本発明による３次元表示装置においては、前記表示制御手段を、前記表示次元が変更され、かつ前記位置検出手段が最後の検出を行ってから所定時間経過後に、前記複数の領域の表示次元を前記２次元表示および前記３次元表示のいずれに変更するかの問い合わせ画面を前記表示手段に表示し、前記複数の画像の表示次元を指示された表示次元に変更する手段としてもよい。
【００３２】
これにより、操作者が意図したとおりに、表示面の一部の領域の表示次元が異なる場合の視認性の欠如および不快感を防止できる。
【００３３】
本発明による３次元表示方法は、画像の２次元表示および３次元表示が可能な表示手段と、
前記表示手段の表示面上において、接触された位置を検出するタッチパネル方式の位置検出手段とを備えた３次元表示装置における３次元表示方法であって、
前記画像ともに前記表示面を複数の領域に分割する分割線を前記表示手段に表示し、
前記複数の領域のうち前記位置検出手段が検出した位置に対応する少なくとも１つの領域の表示次元を変更することを特徴とするものである。
【００３４】
なお、本発明による３次元表示方法をコンピュータに実行させるためのプログラムとして提供してもよい。
【発明を実施するための最良の形態】
【００３５】
以下、図面を参照して本発明の実施形態について説明する。図１は本発明の第１の実施形態による３次元表示装置の構成を示す概略ブロック図である。図１に示すように本実施形態による３次元表示装置１は、ユーザが指で表示画面に触れることにより装置１に対する各種指示を入力するものであり、表示部２、入力部３、位置検出部４、表示制御部５、画像入力部６および３次元処理部７を備える。なお、本実施形態においては、３次元表示の方式としてはバリア方式を採用するものとする。
【００３６】
表示部２は、後述する画像入力部６から装置１に入力された画像を３次元表示したり、２次元表示したりすることが可能である。
【００３７】
入力部３はタッチパネルからなり、ユーザが指あるいはタッチペン等により入力部３に触れると、その部分の座標位置の情報が位置検出部４に出力される。なお、座標位置は入力部３上の所定位置（例えば左上隅）を原点とする座標である。
【００３８】
図２は表示部および入力部の構成を示す図である。図２に示すように表示部２は、バックライト２Ａ、バリアを表示するためのバリア用液晶２Ｂおよび画像を表示するための画像用液晶２Ｃとを備え、液晶２Ｃの手前側に入力部３のタッチパネルが配置されている。ここで、３次元表示を行う場合には、図３に示すようにバリア用液晶２Ｂにバリアを表示する。これにより、操作者の左の目には画像用液晶２Ｃに表示された左目用画像Ｌのみが、右の目には画像用液晶２Ｃに表示された右目用画像Ｒのみが届くため、操作者は画像を立体視することができる。一方、２次元表示を行う場合には、図４に示すようにバリア用液晶２Ｂのバリアの表示を停止する。これにより、操作者の左右の目には画像用液晶２Ｃに表示された左目用画像Ｌおよび右目用画像Ｒの双方が届くため、画像を立体視することができなくなり、結果として表示部２には２次元表示がなされることとなる。
【００３９】
ここで、３次元表示を行っている状態において、バリア用液晶２Ｂにおけるバリアの表示を図５に示すように部分的に停止すると、バリアの表示を停止した部分のみが２次元表示され、その他の部分は３次元表示されることとなる。本実施形態においては、後述する表示制御部５が、バリア用液晶２Ｂにおけるバリアの表示の有無を部分的に切り替えることにより、表示部２に表示される画像の２次元表示および３次元表示を部分的に切り替える。
【００４０】
位置検出部４は、入力部３が出力した表示部２の表示面上の座標位置に対応する領域、すなわち操作者が指示した領域を表す指示情報を表示制御部５へ出力する。なお、領域とは後述するように表示部２の表示面を９分割したうちの少なくとも１つの領域である。
【００４１】
表示制御部５は、画像入力部６に入力された画像を表示部２に２次元表示させたり、３次元表示させたりする。また、表示部２の表示面を複数の領域に分割するための分割線を表示部２に表示する。本実施形態においては、図６に示すように表示部２の表示面を９つの領域に分割する分割線を表示するものとする。そして、表示制御部５は、９つの領域のうち、操作者が触れることにより指示した領域の表示次元を変更する。なお、操作者が指示した領域の特定は、位置検出部４から入力される指示情報に基づいて行う。
【００４２】
画像入力部６は、例えば、メモリカードに記録された画像を読み取るカードスロット等、装置１に３次元表示するための画像を入力するための各種インターフェースからなる。なお、画像を３次元表示するためには、同一の被写体を水平方向において異なる位置において撮影することにより取得した複数の画像が必要である。このため、画像入力部６からは、画像を３次元表示するための複数の画像が入力される。
【００４３】
３次元処理部７は、３次元表示するために、画像入力部６から入力された複数の画像に対して、３次元表示の方式に応じた３次元処理を行う。例えば、本実施形態においては、３次元表示の方式がバリア方式であるため、入力された画像が２つである場合、複数の画像を垂直方向に短冊状に切り取って交互に配置する３次元処理を行うことにより、３次元表示用の画像を生成する。
【００４４】
次いで、第１の実施形態において行われる処理について説明する。図７は第１の実施形態において行われる処理を示すフローチャートである。なお、以降の説明においては、まず表示部２には画像が３次元表示されるものとする。３次元表示の指示が行われることにより表示制御部５が処理を開始し、表示部２に画像の３次元表示を行うとともに（ステップＳＴ１）、分割線を表示する（ステップＳＴ２）。次いで、表示制御部５は、最後に何らかの指示が装置１に対して行われてから所定時間ｔ１経過したか否かを判定し（ステップＳＴ３）、ステップＳＴ３が肯定されると分割線の表示を停止する（ステップＳＴ４）。続いて、表示制御部５は操作者が表示部２の表示面のいずれかの位置に触れることにより、位置検出部４から指示情報が入力されたか否かの監視を開始し（ステップＳＴ５）、ステップＳＴ５が肯定されるとステップＳＴ２に戻る。これにより、再度分割線が表示される。
【００４５】
ステップＳＴ３が否定されると、表示制御部５は操作者が表示部２の表示面に触れることにより、表示次元の変更を所望する領域の指示がなされたか否かを判定し（ステップＳＴ６）、ステップＳＴ６が否定されるとステップＳＴ３に戻る。ステップＳＴ６が肯定されると、指示された領域が複数か否かを判定し（ステップＳＴ７）、ステップＳＴ７が否定されると、操作者が触れることにより指示した領域の表示次元を変更する（ステップＳＴ８）。具体的には、表示制御部５は、操作者が触れることにより指示した領域が３次元表示されている場合、バリア用液晶２Ｂにおける位置検出部４から入力された指示情報に対応する領域のバリアを消去することにより、操作者が指示した領域を２次元表示する。例えば９つの領域のうちの右上の領域に操作者が触れた場合、図８に示すように右上の領域のみを２次元表示する。逆に操作者が触れた領域が２次元表示されている場合、バリア用液晶２Ｂにおける位置検出部４から入力された指示情報に対応する領域のバリアを表示して、操作者が指示した領域を３次元表示する。
【００４６】
一方、ステップＳＴ７が肯定されると、複数の領域のうち、表示制御部５は、操作者が触れている面積が最も大きい１つの領域の表示次元を変更する（ステップＳＴ９）。例えば、図９に示すように、右上の領域およびその下の領域の２つの領域に操作者が触れた場合において、右上の領域の方の接触面積が大きい場合、表示制御部５は、図８に示すように右上の領域のみ２次元表示する。
【００４７】
ステップＳＴ８，ＳＴ９に続いて、表示制御部５は、すべての領域の表示次元が３次元または２次元に統一されているか否かを判定し（ステップＳＴ１０）、ステップＳＴ１０が肯定されるとステップＳＴ３に戻る。このような処理を繰り返すことにより、図１０に示すように、操作者が触れた複数の領域を２次元表示することができる。
【００４８】
ステップＳＴ１０が否定されると、最後に何らかの指示が装置１に対して行われてから所定時間ｔ２経過したか否かを判定し（ステップＳＴ１１）、ステップＳＴ１１が否定されると、ステップＳＴ６に戻る。この処理を繰り返すことにより、３次元表示されている領域に操作者が触れるとその領域は２次元表示に切り替わり、２次元表示されている領域に操作者が触れるとその領域は３次元表示に切り替わる。
【００４９】
ステップＳＴ１１が肯定されると、表示制御部５は、３次元表示されている領域および２次元表示されている領域のいずれの領域が多いかを判定し（ステップＳＴ１２）、多い方の表示次元の領域を所定時間点滅し（ステップＳＴ１３）、すべての領域を多い方の領域の表示次元に変更し（ステップＳＴ１４）、ステップＳＴ３に戻る。例えば、図１０に示すように３次元表示された領域の方が多い場合、３次元表示された領域を点滅し、すべての領域を３次元表示する。逆に図１１に示すように２次元表示された領域の方が多い場合、２次元表示された領域を点滅し、すべての領域を２次元表示する。
【００５０】
このように、第１の実施形態においては、画像とともに表示部２の表示面を複数の領域に分割する分割線を表示し、操作者が所望とする領域に触れると、その領域の表示次元を切り替えるようにしたため、操作者は表示された画像を見ながら所望とする領域の表示次元を容易に切り替えることができる。
【００５１】
とくに、３次元表示を行っている場合、画像がずれて見えるような場合があるが、それを見たのみでは、画像のずれが３次元表示によるものであるのか、撮影時の手ブレによるものであるのかが分からない。このような場合、本実施形態によれば、操作者は確認したい領域に触れてその領域を２次元表示することにより、画像のずれが３次元表示によるものであるのか、手ブレによるものであるのかを容易に確認することができる。
【００５２】
また、複数の領域への接触を同時に検出した場合、接触した面積が大きい領域のみ表示次元を変更することにより、意図しないで複数の領域の表示次元が切り替えられてしまうことを防止できる。
【００５３】
また、分割線を表示してから所定時間ｔ１経過した場合に分割線の表示を停止することにより、表示部２に表示された画像が分割線により表示しにくくなることを防止できる。また、この場合、表示面への接触が検出されると分割線を表示することにより、操作者が所望とするように分割線を表示できる。
【００５４】
また、３次元表示と２次元表示とが混在している場合において、最後に装置１に指示がなされてから所定時間ｔ２の経過後に、すべての領域の表示次元を多い方の領域の表示次元に変更することにより、表示面の一部の領域の表示次元が異なる場合の視認性の欠如および不快感を防止できる。また、切り替え前に多い方の表示次元の領域を点滅することにより、操作者に表示次元が切り替わることを事前に知らせることができる。
【００５５】
なお、上記第１の実施形態においては、ステップＳＴ１４における表示次元の切り替え前に、多い方の表示次元の領域を点滅しているが、音声の出力あるいは文字の表示等により領域の表示次元を切り替えることを操作者に知らせるようにしてもよい。
【００５６】
次いで、本発明の第２の実施形態について説明する。なお、第２の実施形態による３次元表示装置の構成は、第１の実施形態による３次元表示装置の構成と同一であるため、ここでは構成についての詳細な説明は省略する。上記第１の実施形態においては、ステップＳＴ７が肯定された場合、ステップＳＴ９において最も接触面積が大きい領域の表示次元を変更しているが、第２の実施形態においては、すべての領域の表示次元を変更するようにしたものである。すなわち、図９に示すように、９つの領域すべてが３次元表示されている状態において、９つの領域のうちの右上の領域およびその下の領域の２つの領域に操作者が触れた場合に、図１２に示すように操作者が触れているすべての領域を２次元表示する。これにより、操作者が指示したすべての領域の表示次元を切り替えることができる。
【００５７】
ここで、操作者は、複数の指を用いて同時に３以上の領域を指示することができるが、その場合、操作者が指示したすべての領域の表示次元を変更すればよい。また、表示部２の表示面をなぞることにより、複数の領域を連続して指示することも可能である。この場合、操作者がなぞることにより連続して触れたすべての領域の表示次元を変更すればよい。
【００５８】
次いで、本発明の第３の実施形態について説明する。なお、第３の実施形態による３次元表示装置の構成は、第１の実施形態による３次元表示装置の構成と同一であるため、ここでは構成についての詳細な説明は省略する。上記第１の実施形態においては、ステップＳＴ７が肯定された場合、ステップＳＴ９において最も接触面積が大きい領域の表示次元を変更しているが、第３の実施形態においては、表示次元を変更しないようにしたものである。すなわち、図９に示すように、９つの領域すべてが３次元表示されている状態において、９つの領域のうちの右上の領域およびその下の領域の２つの領域に操作者が触れた場合に、図１３に示すように操作者が触れている領域を含めて表示次元を変更しないようにする。これにより、操作者が意図しない複数の領域の表示次元の変更を防止できる。
【００５９】
次いで、本発明の第４の実施形態について説明する。なお、第４の実施形態による３次元表示装置の構成は、第１の実施形態による３次元表示装置の構成と同一であるため、ここでは構成についての詳細な説明は省略する。図１４は第４の実施形態の処理を示すフローチャートである。なお、第４の実施形態の処理は、第１の実施形態におけるステップＳＴ１２以降の処理のみが第１の実施形態と異なるため、ここではステップＳＴ１２以降の処理についてのみ説明する。
【００６０】
第１の実施形態におけるステップＳＴ１２の処理に続いて、表示制御部５は確認画面を表示部２に表示する（ステップＳＴ２１）。図１５は第４の実施形態における確認画面を示す図である。図１５に示すように第４の実施形態による確認画面４０には、９つの領域のうちの下側の３つの領域に、多い方の領域の表示次元（ここでは３次元表示）に表示を統一するかを操作者に問い合わせる「３次元表示に統一しますか？」のテキスト４０Ａ、「はい」ボタン４０Ｂおよび「いいえ」ボタン４０Ｃが表示される。
【００６１】
操作者は、３次元表示に統一したい場合には「はい」ボタン４０Ｂに触れることによりその指示を行い、３次元表示に統一したくない場合には「いいえ」ボタン４０Ｃに触れることによりその指示を行う。このため、表示制御部５はいずれのボタンの指示がなされたかを判定し（ステップＳＴ２２）、「はい」ボタン４０Ｂが指示されると、すべての領域を多い方の領域の表示次元（ここでは３次元）に変更し（ステップＳＴ２３）、ステップＳＴ３に戻る。逆に「いいえ」ボタン４０Ｃが指示されると、ステップＳＴ１１に戻る。
【００６２】
これにより、操作者が意図したとおりに、表示面の一部の領域の表示次元が異なる場合の視認性の欠如および不快感を防止できる。
【００６３】
なお、上記第４の実施形態において、９つの領域のうち２次元表示されている領域の方が多い場合には、確認画面４０には、「２次元表示に統一しますか？」のテキストが表示され、「はい」ボタン４０Ｂが指示されると、すべての領域を２次元表示に変更する。
【００６４】
次いで、本発明の第５の実施形態について説明する。なお、第５の実施形態による３次元表示装置の構成は、第１の実施形態による３次元表示装置の構成と同一であるため、ここでは構成についての詳細な説明は省略する。図１６は第５の実施形態の処理を示すフローチャートである。なお、第５の実施形態の処理は、第１の実施形態におけるステップＳＴ１１が肯定された以降の処理のみが第１の実施形態と異なるため、ここではステップＳＴ１１が肯定された以降の処理についてのみ説明する。
【００６５】
第１の実施形態におけるステップＳＴ１１が肯定されると、表示制御部５は確認画面を表示部２に表示する（ステップＳＴ３１）。図１７は第５の実施形態における確認画面を示す図である。図１７に示すように第５の実施形態による確認画面４２は、９つの領域のうちの下側の３つの領域に、どちらの表示次元に表示を統一するかを操作者に問い合わせる「どちらの表示次元に統一しますか？」のテキスト４２Ａ、「３Ｄ」ボタン４２Ｂおよび「２Ｄ」ボタン４２Ｃが表示される。
【００６６】
操作者は、３次元表示に統一したい場合には「３Ｄ」ボタン４２Ｂに触れることによりその指示を行い、２次元表示に統一したい場合には「２Ｄ」ボタン４２Ｃに触れることによりその指示を行う。このため、表示制御部５はいずれのボタンの指示がなされたかを判定し（ステップＳＴ３２）、「３Ｄ」ボタン４２Ｂが指示されると、すべての領域を３次元表示に変更し（ステップＳＴ３３）、ステップＳＴ３に戻る。逆に「２Ｄ」ボタン４２Ｃが指示されると、すべての領域を２次元表示に変更し（ステップＳＴ３４）、ステップＳＴ３に戻る。
【００６７】
これにより、操作者が意図したとおりに、表示面の一部の領域の表示次元が異なる場合の視認性の欠如および不快感を防止できる。
【００６８】
次いで、本発明の第６の実施形態について説明する。なお、第６の実施形態による３次元表示装置の構成は、第１の実施形態による３次元表示装置の構成と同一であるため、ここでは構成についての詳細な説明は省略する。図１８は第６の実施形態の処理を示すフローチャートである。なお、第６の実施形態の処理は、第１の実施形態におけるステップＳＴ１１が肯定された以降の処理が第１の実施形態と異なるため、ここではステップＳＴ１１が肯定された以降の処理についてのみ説明する。
【００６９】
第１の実施形態におけるステップＳＴ１１が肯定されると、表示制御部５は確認画面を表示部２に表示する（ステップＳＴ４１）。図１９は第６の実施形態における確認画面を示す図である。図１９に示すように第６の実施形態による確認画面４４は、どちらの表示次元に表示を統一するかを操作者に問い合わせる「どちらの表示次元に統一しますか？」のテキスト４２Ａが表示される。
【００７０】
操作者は、３次元表示に統一したい場合には３次元表示されている領域に触れることによりその指示を行い、２次元表示に統一したい場合には２次元表示されている領域に触れることによりその指示を行う。このため、表示制御部５はいずれの領域の指示がなされたかを判定し（ステップＳＴ４２）、３次元表示された領域が指示されると、すべての領域を３次元表示に変更し（ステップＳＴ４３）、ステップＳＴ３に戻る。逆に２次元表示された領域が指示されると、すべての領域を２次元表示に変更し（ステップＳＴ４４）、ステップＳＴ３に戻る。
【００７１】
これにより、操作者が意図したとおりに、表示面の一部の領域の表示次元が異なる場合の視認性の欠如および不快感を防止できる。
【００７２】
なお、上記第５および第６の実施形態においては、９つという奇数の領域に表示面を分割しているが、例えば表示面が図２０に示すように２×２の偶数の領域に分割され、かつ３次元表示されている領域と２次元表示されている領域とが同数の場合には、上記第５および第６の実施形態の処理を行うことが好ましい。これにより、操作者は所望とするように表示次元を統一させることができる。
【００７３】
なお、上記第１から第６の実施形態においては、本発明による３次元表示装置を単独で用いているが、本発明による３次元表示装置を複数の撮影部を備えた複眼カメラに適用してもよい。この場合、本発明による３次元表示装置を、撮影時にスルー画像を表示するために用いることにより、画角の一部を表示次元を切り換えながら確認することができることとなる。
【００７４】
また、上記第１から第６の実施形態においては、バリア方式により３次元表示を行っているが、他の方式により３次元表示を行う場合にも、本発明を適用できる。例えば、レンチキュラー方式の場合、この場合、２つの画像を垂直方向に短冊状に切り取って交互に配置することにより３次元表示が行われるため、指示された領域のみ３次元表示のための２つの画像のうちのいずれかの画像のみを表示するようにすれば、その領域のみを２次元表示することができる。
【００７５】
以上、本発明の実施形態に係る装置について説明したが、コンピュータを、上記の位置検出部４、表示制御部５に対応する手段として機能させ、図７，１４，１６，１８に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００７６】
【図１】本発明の第１の実施形態による３次元表示装置の構成を示す概略ブロック図
【図２】表示部および入力部の構成を示す図
【図３】バリア方式を説明するための図（その１）
【図４】バリア方式を説明するための図（その２）
【図５】部分的な２次元表示を説明するための図
【図６】分割線の表示を説明するための図
【図７】第１の実施形態において行われる処理を示すフローチャート
【図８】右上の領域のみが２次元表示された状態を示す図
【図９】操作者が複数の領域に触れた状態を示す図
【図１０】複数の領域を２次元表示した状態を示す図（その１）
【図１１】複数の領域を２次元表示した状態を示す図（その２）
【図１２】操作者が触れているすべての領域を２次元表示した状態を示す図
【図１３】操作者が触れているすべての領域の表示次元を変更しない状態を示す図
【図１４】第４の実施形態の処理を示すフローチャート
【図１５】第４の実施形態における確認画面を示す図
【図１６】第５の実施形態の処理を示すフローチャート
【図１７】第５の実施形態における確認画面を示す図
【図１８】第６の実施形態の処理を示すフローチャート
【図１９】第６の実施形態における確認画面を示す図
【図２０】３次元表示された領域と２次元表示された領域とが同数の場合を示す図
【符号の説明】
【００７７】
１    ３次元表示装置
２    表示部
３    入力部
４    位置検出部
５    表示制御部
６    画像入力部
７    ３次元処理部
【図１】
2010108203.tif 000003
【図２】
2010108203.tif 000004
【図３】
2010108203.tif 000005
【図４】
2010108203.tif 000006
【図５】
2010108203.tif 000007
【図６】
2010108203.tif 000008
【図７】
2010108203.tif 000009
【図８】
2010108203.tif 000010
【図９】
2010108203.tif 000011
【図１０】
2010108203.tif 000012
【図１１】
2010108203.tif 000013
【図１２】
2010108203.tif 000014
【図１３】
2010108203.tif 000015
【図１４】
2010108203.tif 000016
【図１５】
2010108203.tif 000017
【図１６】
2010108203.tif 000018
【図１７】
2010108203.tif 000019
【図１８】
2010108203.tif 000020
【図１９】
2010108203.tif 000021
【図２０】
2010108203.tif 000022